(57)【特許請求の範囲】
【請求項１】
システム利用者からの指示内容に応じた映像を被表示部に表示する映像表示システムであって、
入力された映像のデータに基づき前記被表示部に映像を表示する映像表示装置と、前記映像表示装置に表示させる映像の指示及び当該映像のデータの伝送を行うための指示装置と、当該指示装置から伝送された映像のデータを解析する映像データ解析手段と、当該映像データ解析手段の解析によって前記映像のデータが特定のアプリケーションソフトの実行により表示される映像のデータであると判定されたときに、その映像のデータを前記映像表示装置に入力し、前記特定のアプリケーションソフトの実行により表示される映像のデータ以外のデータであったときに、前記映像表示装置に入力する映像のデータを専用の映像のデータに自動的に切り替える映像切替手段と、を備えることを特徴とする映像表示システム。
【請求項２】
前記専用の映像は、宣伝広告用の映像であることを特徴とする請求項１記載の映像表示システム。
【請求項３】
前記映像切替手段による映像の切り替えを、手動によって行うことが可能な映像手動切替手段を備えることを特徴とする請求項１又は請求項２記載の映像表示システム。
【請求項４】
前記指示装置から前記映像データ解析手段に入力される前記映像のデータの有無を判定する入力判定手段を備え、前記映像切替手段は、前記入力判定手段によってデータの入力が無いと判定されたときに、前記映像表示装置に前記専用の映像のデータを送信し、前記被表示部に当該専用の映像を表示させるようになっていることを特徴とする請求項１乃至請求項３のいずれかに記載の映像表示システム。
【請求項５】
前記映像表示装置は、前記映像を、光学的な投影によって前記被表示部に表示する投写型映像表示装置であることを特徴とする請求項１乃至請求項４のいずれかに記載の映像表示システム。
【請求項６】
システム利用者からの指示内容に応じた映像を被表示部に表示する映像表示システムにおける前記被表示部に映像を表示するための映像表示装置であって、
前記被表示部に表示させる映像データの指示を行うための指示装置から入力された映像のデータを解析する映像データ解析手段と、当該映像データ解析手段の解析によって前記映像のデータが特定のアプリケーションソフトの実行により表示される映像のデータであると判定されたときに、その映像を前記被表示部に表示し、前記特定のアプリケーションソフトの実行により表示される映像のデータ以外のデータであったときに、前記被表示部に表示する映像を専用の映像に自動的に切り替える映像切替手段と、を備えることを特徴とする映像表示装置。
【請求項７】
前記専用の映像は、宣伝広告用の映像であることを特徴とする請求項６記載の映像表示システム。
【請求項８】
前記映像切替手段による映像の切り替えを、手動によって行うことが可能な映像手動切替手段を備えることを特徴とする請求項６又は請求項７記載の映像表示装置。
【請求項９】
前記指示装置からの前記映像のデータの入力の有無を判定する入力判定手段を備え、前記映像切替手段は、前記入力判定手段によってデータの入力が無いと判定されたときに、前記被表示部に前記専用の映像を表示するようになっていることを特徴とする請求項６乃至請求項８のいずれかに記載の映像表示装置。
【請求項１０】
前記映像を、光学的な投影によって前記被表示部に表示する投写型映像表示装置であることを特徴とする請求項６乃至請求項９のいずれかに記載の映像表示装置。
【発明の詳細な説明】
【０００１】
【発明の属する技術分野】
本発明は、システム利用者の指示内容に応じた映像データを被表示部に表示する映像表示システムに係り、特に、特定の映像データを専用の映像データに切り替えて表示するのに好適な映像表示システム及び映像表示装置に関する。
【０００２】
【従来の技術】
従来、プロジェクタなどの映像表示装置と、ＰＣ（Personal Computer）とを有線通信、あるいは、無線通信によってデータ通信可能に接続し、ＰＣからの指示のあった映像データをスクリーンなどの被表示部に投写するシステムがある。
【０００３】
【発明が解決しようとする課題】
しかしながら、上記システムにおいては、システム利用者は表示したい映像データに関する指示をＰＣに行い、ＰＣからの映像出力信号を常にプロジェクタに入力して、それをスクリーンに投写する仕組みとなっており、プロジェクタは、その動作がスイッチ等で停止されない限りＰＣからのどのような映像出力でもスクリーンに投写してしまう。従って、ＰＣにエラーが発生したようなときに、そのエラーを示す映像がスクリーンに投写されるなど、不適切な映像が被表示部に表示されてしまう恐れがある。
【０００４】
そこで、本発明は、このような従来の技術の有する未解決の課題に着目してなされたものであって、映像表示装置に入力が無いときや、特定の映像が入力されたときに、被表示部に表示される映像が専用の映像になるように自動的に切り替えて表示するのに好適な映像表示システム及び映像表示装置を提供することを目的としている。
【０００５】
上記目的を達成するために、本発明に係る請求項１記載の映像表示システムは、システム利用者からの指示内容に応じた映像を被表示部に表示する映像表示システムであって、
入力された映像のデータに基づき前記被表示部に映像を表示する映像表示装置と、前記映像表示装置に表示させる映像の指示及び当該映像のデータの伝送を行うための指示装置と、当該指示装置から伝送された映像のデータを解析する映像データ解析手段と、当該映像データ解析手段の解析によって前記映像のデータが特定のアプリケーションソフトの実行により表示される映像のデータであると判定されたときに、その映像のデータを前記映像表示装置に入力し、前記特定のアプリケーションソフトの実行により表示される映像のデータ以外のデータであったときに、前記映像表示装置に入力する映像のデータを専用の映像のデータに自動的に切り替える映像切替手段と、を備えることを特徴としている。
【０００６】
このような構成であれば、システム利用者は、指示装置によって映像表示装置に映像を表示する指示を与えることができ、映像データ解析手段は、指示内容の映像のデータを解析し、映像切替手段は、解析によって指示装置からの映像のデータが特定のアプリケーションソフトの実行により表示される映像のデータであると判定されたときに、その映像のデータを前記映像表示装置に入力し、前記特定のアプリケーションソフトの実行により表示される映像のデータ以外のデータであったときに、前記映像表示装置に入力し、特定の映像であると解析された場合に被表示部に表示する映像を別の映像に自動的に切り替え、映像表示装置は、入力された映像のデータに基づき前記被表示部に映像を表示することが可能である。
【０００７】
つまり、映像データ解析手段によって、指示装置からの映像データが、特定のアプリケーションソフトの実行により表示される映像のデータであると判定されたときに、映像切替手段は、その映像を被表示部に表示するようにし、特定のアプリケーションソフトの実行により表示される映像のデータ以外のデータであったときは、専用の映像に自動的に切り替えるようにしたものである。従って、例えば、指示装置において実行される専用のアプリケーション上に読み込まれた映像データを被表示部に表示するようなときに、アプリケーション固有のマークがその映像データに含まれているものを特定のアプリケーションソフトの実行により表示される映像のデータとすれば、それ以外の、ソフトウェアが起動していないときの表示したくない映像（ＯＳなどの他のアプリケーションソフトの映像等）の表示を防ぐことができ便利である。
【００１０】
また、請求項２に係る発明は、請求項１記載の映像表示システムにおいて、前記専用の映像は、宣伝広告用の映像であることを特徴としている。
つまり、映像切替手段は、映像データ解析手段による解析結果が特定のアプリケーションソフトの実行により表示される映像データであったときに、映像表示装置に、宣伝広告用の映像を表示させるようにした。従って、表示させたくない映像データが入力されたときに、被表示部に宣伝広告用の映像を表示するようになっているので、見苦しい映像の表示を防ぐ上に、製品の宣伝も可能となるので便利である。
【００１３】
また、請求項３に係る発明は、請求項１又は請求項２記載の映像表示システムにおいて、前記映像切替手段による映像の切り替えを、手動によって行うことが可能な映像手動切替手段を備えることを特徴としている。
つまり、映像手動切替手段を用いることによって、システム利用者は、特定のアプリケーションソフトの実行により表示される映像が入力されたときに、任意の別の映像に手動で切り替えて被表示部に表示することができるようにしたものである。また、手動切替にすることで特定のアプリケーションソフトの実行により表示される映像データが入力されたときに専用の映像に自動で切り替えられるのを防ぐことも可能である。
【００１４】
また、請求項４に係る発明は、請求項１乃至請求項３のいずれかに記載の映像表示システムにおいて、前記指示装置から前記映像データ解析手段に入力される前記映像のデータの有無を判定する入力判定手段を備え、前記映像切替手段は、前記入力判定手段によってデータの入力が無いと判定されたときに、前記映像表示装置に前記専用の映像のデータを送信し、前記被表示部に当該専用の映像を表示させるようになっていることを特徴としている。
つまり、入力判定手段によって指示内容が入力されているか否かを判定することが可能となり、指示内容がないときに、被表示部に専用の映像を表示するようになっているので、入力が無いときに宣伝広告用の映像を表示するなど、システムの有効的な利用が可能となる。
【００１５】
また、請求項５に係る発明は、請求項１乃至請求項４のいずれかに記載の映像表示システムにおいて、前記映像表示装置は、前記映像を、光学的な投影によって前記被表示部に表示する投写型映像表示装置であることを特徴としている。
つまり、映像表示装置を、例えば、液晶プロジェクタなどのレンズによって液晶に表示された映像をスクリーンに投影する投写型映像表示装置としたものである。
【００１６】
また、請求項６記載の映像表示装置は、システム利用者からの指示内容に応じた映像を被表示部に表示する映像表示システムにおける前記被表示部に映像を表示するための映像表示装置であって、
前記被表示部に表示させる映像データの指示を行うための指示装置から入力された映像のデータを解析する映像データ解析手段と、当該映像データ解析手段によって前記映像のデータが特定のアプリケーションソフトの実行により表示される映像のデータであると解析されたときに、その映像を前記被表示部に表示し、前記特定のアプリケーションソフトの実行により表示される映像のデータ以外のデータであると解析されたときに、前記被表示部に表示する映像を専用の映像に自動的に切り替える映像切替手段と、を備えることを特徴としている。
【００１８】
また、請求項７に係る発明は、請求項６記載の映像表示装置において、前記専用の映像は、宣伝広告用の映像であることを特徴としている。
また、請求項８に係る発明は、請求項６又は請求項７記載の映像表示装置において、前記映像切替手段による映像の切り替えを、手動によって行うことが可能な映像手動切替手段を備えることを特徴としている。
【００１９】
また、請求項９に係る発明は、請求項６乃至請求項８のいずれかに記載の映像装置において、前記指示装置からの前記映像のデータの入力の有無を判定する入力判定手段を備え、前記映像切替手段は、前記入力判定手段によってデータの入力が無いと判定されたときに、前記被表示部に前記専用の映像を表示するようになっていることを特徴としている。
【００２０】
また、請求項１０に係る発明は、請求項６乃至請求項９のいずれかに記載の映像表示装置において、前記映像を、光学的な投影によって前記被表示部に表示する投写型映像表示装置であることを特徴としている。
ここで、請求項６乃至請求項１０記載の映像表示装置は、請求項１乃至請求項６記載の映像表示システムにおいて利用される装置であり、その作用効果は同様のものとなるので記載を省略する。
【００２１】
【発明の実施の形態】
以下、本発明の実施の形態を図面に基づいて説明する。図１乃至図３は、本発明に係る映像表示システムの第１の実施の形態を示す図である。
まず、本発明に係る映像表示システムの構成を図１に基づいて説明する。図１は、本発明に係る映像表示システムの構成を示すブロック図である。
【００２２】
映像表示システム１は、後述する映像表示装置３に表示させる映像データの指示及び映像データの伝送等を行うための指示装置２と、伝送された映像データを取得してその映像データの解析及び切り替え等を行い、被表示部４に適切な映像を表示するための映像表示装置３と、映像表示装置３から投写された映像を表示するための被表示部４とから構成される。
【００２３】
指示装置２は、ＰＤＡ（Personal Digital Assistant）やノート型ＰＣなどの携帯型機器、デスクトップの型のＰＣやＷＳ（Work Station）などであり、映像表示装置３との間のデータ通信は、ＬＡＮケーブルなどによる有線通信の他、無線ＬＡＮなどによる無線通信によって行うようになっている。
映像表示装置３は、指示装置２からの映像データの入力の有無を判定するための入力判定部３ａと、指示装置２からの映像データを取得し、そのデータを解析して特定の映像パターンと一致するか否かの判定を行う特定パターン判定部３ｂと、入力判定部３ａの判定結果、特定パターン判定部３ｂの判定結果及び指示装置２からの映像データを取得して、各判定部における判定結果に基づいて指示装置２からの映像データ、あるいは、後述するメモリ部３ｄに記憶された専用の映像データのいずれかを後述する映像投写部３ｅに伝送する映像切替部３ｃと、専用の映像が記憶されたメモリ部３ｄと、映像切替部３ｃから映像データを取得して被表示部４に投写する映像投写部３ｅと、映像表示部３の電源の投入、映像の手動切替、又は、自動切換などの設定を行うための操作部３ｆと、操作部３ｆによって映像の手動切替が設定された場合に操作部３ｆからの指示で映像切替部３ｃを制御するマニュアル切替部３ｇとから構成される。
【００２４】
また、映像表示装置３は、図示しないが、各処理部を制御をするためのプログラムを記憶したＲＯＭと、プログラムで使用するデータを記憶するためのＲＡＭと、プログラムを実行するためのＣＰＵ（中央処理装置）と、各装置間のデータの送受信を行うためのＩ／Ｆ（インターフェース）回路とを有している。
被表示部４は、専用の大型スクリーンなど映像投写部３ｅによって投写された映像を表示可能なものである。
【００２５】
次に、映像表示システム１の映像の自動切換設定時の動作の流れを図２に基づいて説明する。図２は、映像表示システム１の映像の自動切換設定時の動作の流れを示すフローチャートである。
図２に示すように、まずステップＳ２００に移行し、入力判定部３ａによって、指示装置２からの映像データの入力があるか否かの判定を行い、入力があると判定された場合(Yes)はステップＳ２０２に移行し、そうでない場合(No)はステップＳ２２０に移行する。
【００２６】
ステップＳ２０２に移行した場合は、入力判定部３ａによって、判定結果を示すデータ及び指示装置２から入力された映像データを特定パターン判定部３ｂに伝送してステップＳ２０４に移行する。
ステップＳ２０４では、特定パターン判定部において、受信した映像データが、図示しないデータベースに予め登録されている特定パターンの映像データと一致するか否かを判定し、一致していると判定された場合(Yes)はステップＳ２０６に移行し、そうでない場合(No)はステップＳ２１２に移行する。ここで、特定パターンの映像データは、指示装置２の通常画面において表示されている特定のマークを含む映像データ、指示装置２におけるエラーの発生を示す映像データなどであり、つまりは被表示部４に表示させたくない映像である。
【００２７】
ステップＳ２０６に移行した場合は、特定パターン判定部３ｂによって、判定結果を映像切替部３ｃに伝送してステップＳ２０８に移行する。
ステップＳ２０８に移行した場合は、映像切替部３ｃによって、メモリ部３ｄから第１の専用映像データを読み出してステップＳ２１０に移行する。ここで、第１の専用映像データは、指示装置２からの映像データが特定パターンの映像データと一致していた場合に、この映像の代わりに被表示部４に表示させる映像である。
【００２８】
ステップＳ２１０では、映像切替部３ｃによって、第１の専用映像データを映像投写部３ｅに伝送してステップＳ２１２に移行する。
ステップＳ２１２に移行すると、映像投写部３ｅによって、第１の専用映像を被表示部４に投写してステップＳ２００に移行する。
一方、特定パターンの映像データと一致せずステップＳ２１４に移行した場合は、特定パターン判定部３ｂによって、判定結果を示すデータ及び映像データを映像切替部３ｃに伝送してステップＳ２１６に移行する。
【００２９】
ステップＳ２１６では、映像切替部３ｃは、判定結果が特定パターンと一致していないので、指示装置２から入力された映像データを映像投写部３ｅに伝送してステップＳ２１８に移行する。
ステップＳ２１８に移行すると、映像投写部３ｅによって、指示装置２からの入力映像を被表示部４に投写してステップＳ２００に移行する。
【００３０】
また、ステップＳ２００において、指示装置２から映像データが入力されていないと判定され、ステップＳ２２０に移行した場合は、入力判定部３ａによって、映像切替部３ｃに入力データがないという判定結果を示すデータを伝送してステップＳ２２２に移行する。
ステップＳ２２２では、映像切替部３ｃによって、メモリ部３ｄから第２の専用映像データを読み出してステップＳ２２４に移行する。ここで、第２の専用映像データは、指示装置２から映像データが入力されていない場合に、被表示部４に表示させる映像である。
【００３１】
ステップＳ２２４に移行すると、表示切替部３ｃによって、第２の専用映像データを映像投写部３ｅに伝送してステップＳ２２６に移行する。
ステップＳ２２６では、映像投写部３ｅによって、第２の専用映像を被表示部４に投写してステップＳ２００に移行する。
つまり、ステップＳ２００〜ステップＳ２２６の処理を繰り返し行い、入力の条件に応じた適切な映像を自動的に判定し被表示部４に表示する処理を行う。
【００３２】
また、操作部３ｆによって、映像の手動切替設定が行われた場合は、メモリ部３ｄに記憶されている専用映像データの中から任意の映像データを手動で選択して被表示部４に表示させたり、特定パターン判定部３ｂの判定処理を行わせずにどのような入力映像データでも表示させるようにすることが可能である。
更に、本実施の形態の実際の動作を図３に基づいて説明する。図３（ａ）及び図３（ｂ）は、特定パターン判定部において、入力された映像データと比較する際に用いられる特定パターンの映像データの一例を示す図である。
【００３３】
まず、前提条件としてシステム利用者が、映像表示システム１を自社商品のプレゼンテーションに利用した場合を想定し、指示装置２としてノートＰＣを用い、映像表示装置３として本発明の機能を搭載した液晶プロジェクタを用い、被表示部４としては大型のスクリーンを用い、更に、操作部３ｆによって映像の自動切換設定がされていることとする。
【００３４】
システム利用者は、指示装置２にインストールされた専用のアプリケーションソフトによって、まず被表示部４に表示させる映像を設定する操作を行う。これにより商品の映像データが入力判定部３ａに入力されると、入力判定部３ａにおいて、映像データの入力があると判定され（ステップＳ２００）、その判定結果を示すデータ及び映像データが特定パターン判定部３ｂに伝送される（ステップＳ２０２）。そして、判定結果を示すデータが解析され、特定パターン判定部３ｂにおいて、データベースに記録されている特定パターンの映像データと、商品の映像データとを比較し、この場合は特定パターンとは一致しないので（ステップＳ２０４）判定結果を示すデータ及び商品の映像データを映像切替部３ｃに伝送する（ステップＳ２１２）。更に、映像切替部３ｃでは、判定結果を示すデータを解析して、商品の映像データを映像投写部３ｅに伝送し（ステップＳ２１４）、映像投写部３ｅは、商品の映像データを被表示部４に表示する（ステップＳ２１６）。
【００３５】
更に、指示装置２が表示するデータを設定するためのアプリケーションソフトを終了し、図示しない指示装置２の表示部に、図３（ａ）に示す、第１の画面３０が表示された場合の表示処理を説明する。図中、第１の画面３０は、画面下側に第１のマーク３０ａと、第２のマーク３０ｂが表示され、画面左上に複数の第３のマーク３０ｃが表示された構成となっている。この第１の画面３０の映像データが入力判定部３ａに入力されると、そこで入力があると判定され（ステップＳ２００）、その判定結果を示すデータ及び第１の画面３０の映像データが特定パターン判定部３ｂに伝送される（ステップＳ２０２）。特定パターン判定部３ｂでは、判定結果を解析し、データベースに登録されている特定パターンの映像データと第１の画面３０の映像データとを比較処理する。ここで、本実施の形態においては、第１〜第３のマーク３０ａ〜３０ｃは、特定マークの映像データとしてデータベースに登録してあり、よって、第１の画面３０の映像データは特定パターンの映像データと一致したと判定され（ステップＳ２０４）、映像切替部３ｃに判定結果を伝送する（ステップＳ２０６）。更に、映像切替部３ｃにおいて、判定結果を解析し、メモリ部３ｄから第１の専用映像データを読み出し（ステップＳ２０８）、映像投写部３ｅにそのデータを伝送する（ステップＳ２１０）。そして、映像投写部３ｅは、被表示部４に第１の専用映像データを表示する（ステップＳ２１２）。ここで、本実施の形態において、第１の専用映像データは、「絵画」や「植物の写真」など、場の雰囲気を壊さない当り障りのない映像であることとする。
【００３６】
なお更に、指示装置２がハングアップして、図３（ｂ）に示すように、エラーメッセージ３５ａを含む第２の画面３５が図示しない指示装置２の表示部に表示された場合は、上記した第１の画面３０の場合と同様に、本実施の形態において、エラーメッセージの表示画面である第２の画面３５はデータベースに登録されており、よって、特定パターン判定部３ｂにおいて特定パターンと一致したと判定され、ステップＳ２０６〜ステップＳ２１２の処理が行われる。
【００３７】
また、入力判定部３ａにおいて、指示装置２から映像データが入力されていないと判定された場合（ステップＳ２００）は、映像切替部３ｃにその判定結果を示すデータを伝送し（ステップＳ２２０）、映像切替部３ｃは、その判定結果を解析して、メモリ部３ｄから第２の専用映像データを読み出し（ステップＳ２２２）、映像投写部３ｅにその映像データを伝送する（ステップＳ２２４）。更に、映像投写部３ｅは、伝送されてきた第２の専用映像データを受信すると、その映像を被表示部４に投写する（ステップＳ２２６）。ここで、本実施の形態においては、第２の専用映像データとして、システム利用者の属する会社の製品の宣伝広告用の映像を表示するようになっている。
【００３８】
以上、入力判定部３ａによって、映像データの入力の有無を判定するようにし、入力がない場合は、映像切替部３ｃにおいて宣伝広告用の映像を表示するようにしたので、表示させたくない映像の表示を防ぐと共に、製品の宣伝を行うことができ、映像表示装置の有効利用となる。
また、映像データが入力されているときには、特定パターン判定部３ｂによって、その映像データがデータベースに登録されている特定パターンの映像データと一致するか否かを判定し、一致する場合には、専用の映像を表示するようにしたので、指示装置２がハングアップしたときのエラー画面や、通常のＯＳの画面を被表示部４に表示するといった、不適切な映像の表示を防ぐのに役立つ。
【００３９】
また、操作部３ｆの操作によって、映像の手動切替設定を行い、手動で被表示部４に表示する映像を選択したり、特定パターンに含まれる映像を表示させたりできるようにしたので、システムの使い勝手が向上する。
更に、第２の実施の形態として、図１における特定パターン判定部３ｂにおいて、入力された映像データが特定パターンの映像データであると判定された映像を被表示部４にそのまま表示し、それ以外の映像を専用の映像に切り替えて表示するようにした映像切り替え処理の別の一例を適用した映像表示システムの動作の流れを図４に基づいて説明する。図４は、映像切り替え処理の別の一例を適用した映像表示システムの動作処理を示すフローチャートである。なお、システムの構成は、上記第１の実施の形態における映像表示システム１と同様であるので、その説明は省略する。
【００４０】
図４に示すように、まずステップＳ４００に移行し、入力判定部３ａによって、指示装置２からの映像データの入力があるか否かの判定を行い、入力があると判定された場合(Yes)はステップＳ４０２に移行し、そうでない場合(No)はステップＳ４２０に移行する。
ステップＳ４０２に移行した場合は、入力判定部３ａによって、判定結果を示すデータ及び指示装置２から入力された映像データを特定パターン判定部３ｂに伝送してステップＳ４０４に移行する。
【００４１】
ステップＳ４０４では、特定パターン判定部において、受信した映像データが、図示しないデータベースに予め登録されている特定パターンの映像データと一致するか否かを判定し、一致していると判定された場合(Yes)はステップＳ４０６に移行し、そうでない場合(No)はステップＳ４１２に移行する。ここで、特定パターンの映像データは、指示装置２ｂにおいて実効されている本システムにおいて利用される専用のソフトウェアの実行画面において表示されている特定のマークを含む映像データであり、つまりは被表示部４に表示させたい映像である。
【００４２】
ステップＳ４０６に移行した場合は、特定パターン判定部３ｂによって、判定結果を示すデータ及びその映像データを映像切替部３ｃに伝送してステップＳ４０８に移行する。
ステップＳ４０８では、映像切替部３ｃは、判定結果が特定パターンと一致しているので、指示装置２から入力された映像データを映像投写部３ｅに伝送してステップＳ４１０に移行する。つまり、入力された映像データは、専用のソフトウェアからの指示による映像データであるので、被表示部４に表示するように処理が行われる。
【００４３】
ステップＳ４１０に移行すると、映像投写部３ｅによって、指示装置２からの入力映像を被表示部４に投写してステップＳ４００に移行する。
一方、特定パターンの映像データと一致せずステップＳ４１２に移行した場合は、特定パターン判定部３ｂによって、判定結果を映像切替部３ｃに伝送してステップＳ４１４に移行する。
【００４４】
ステップＳ４１４に移行した場合は、映像切替部３ｃによって、メモリ部３ｄから第１の専用映像データを読み出してステップＳ４１６に移行する。ここで、第１の専用映像データは、指示装置２からの映像データが特定パターンの映像データと一致していなかった場合に、この映像の代わりに被表示部４に表示させる映像である。
【００４５】
ステップＳ４１６では、映像切替部３ｃによって、第１の専用映像データを映像投写部３ｅに伝送してステップＳ４１８に移行する。
ステップＳ４１８に移行すると、映像投写部３ｅによって、第１の専用映像を被表示部４に投写してステップＳ４００に移行する。
また、ステップＳ４００において、指示装置２から映像データが入力されていないと判定され、ステップＳ４２０に移行した場合は、入力判定部３ａによって、映像切替部３ｃに入力データがないという判定結果を示すデータを伝送してステップＳ４２２に移行する。
【００４６】
ステップＳ４２２では、映像切替部３ｃによって、メモリ部３ｄから第２の専用映像データを読み出してステップＳ４２４に移行する。ここで、第２の専用映像データは、指示装置２から映像データが入力されていない場合に、被表示部４に表示させる映像である。
ステップＳ４２４に移行すると、表示切替部３ｃによって、第２の専用映像データを映像投写部３ｅに伝送してステップＳ４２６に移行する。
【００４７】
ステップＳ４２６では、映像投写部３ｅによって、第２の専用映像を被表示部４に投写してステップＳ４００に移行する。
つまり、上記第１の実施の形態と同様に、ステップＳ４００〜ステップＳ４２６の処理を繰り返し行い、入力の条件に応じた適切な映像を自動的に判定し被表示部４に表示する処理を行う。
【００４８】
更に、第２の実施の形態の実際の動作を図５に基づいて説明する。図５は、専用のソフトウェアの実行画面の一例を示す図である。なお、前提条件は、上記第１の実施の形態と同様に、本システムを自社商品のプレゼンテーションに適用した場合を例として説明する。また、アプリケーションソフトの実行画面に表示されるタイトルロゴを特定パターンの映像データとする。
【００４９】
システム利用者は、指示装置２にインストールされた専用のアプリケーションソフトによって、まず被表示部４に表示させる映像を設定する操作を行う。図５に示すように、アプリケーションソフトの実行画面５０には、商品の映像データ５０ｂが読み込まれ、この映像データが入力判定部３ａに入力される。これにより、入力判定部３ａにおいて、映像データの入力があると判定され（ステップＳ４００）、その判定結果を示すデータ及び映像データが特定パターン判定部３ｂに伝送される（ステップＳ４０２）。そして、判定結果を示すデータが解析され、特定パターン判定部３ｂにおいて、データベースに記録されている特定パターンの映像データと、商品の映像データとを比較し、この場合は、アプリケーションソフトが実行されており、図５に示すように、実行画面５０には、アプリケーションソフトのタイトルロゴ５０ａが含まれており、入力された映像データは、特定パターンと一致するので（ステップＳ４０４）判定結果を示すデータ及び商品の映像データを映像切替部３ｃに伝送する（ステップＳ４０６）。更に、映像切替部３ｃでは、判定結果を示すデータを解析して、商品の映像データを映像投写部３ｅに伝送し（ステップＳ４０８）、映像投写部３ｅは、商品の映像データを被表示部４に表示する（ステップＳ４１０）。
【００５０】
更に、アプリケーションソフトを終了した場合の表示処理を説明する。アプリケーションソフトが終了した状態の映像データが入力判定部３ａに入力されると、まず、入力ありと判定され（ステップＳ４００）、その判定結果を示すデータ及びそのときの画面の映像データが特定パターン判定部３ｂに伝送される（ステップＳ４０２）。特定パターン判定部３ｂでは、判定結果を解析し、データベースに登録されている特定パターンの映像データと映像データとを比較処理する。そして、映像データは特定パターンの映像データと一致していないと判定され（ステップＳ４０４）、映像切替部３ｃに判定結果を伝送する（ステップＳ４１２）。更に、映像切替部３ｃにおいて、判定結果を解析し、メモリ部３ｄから第１の専用映像データを読み出し（ステップＳ４１４）、映像投写部３ｅにそのデータを伝送する（ステップＳ４１６）。そして、映像投写部３ｅは、被表示部４に第１の専用映像データを表示する（ステップＳ４１８）。ここで、本実施の形態において、第１の専用映像データは、「絵画」や「植物の写真」など、その場の雰囲気を壊さない当り障りのない映像であることとする。
【００５１】
以上、入力された映像データに特定パターンの含まれるものだけを、普通に表示し、それ以外の映像を専用の映像に切り替えて表示するようになっているので、映像表示用のアプリケーションプログラムの実行中に伝送した映像だけを表示するなど、表示させたい映像だけ表示させるようにすることが可能となり便利である。
【００５２】
ここで、図１に示す、入力判定部３ａは、請求項７及び請求項１５記載の入力判定手段に対応し、特定パターン判定部３ｂは、請求項１、５、９、１４記載の映像データ解析手段に対応し、映像切替部３ｃは、請求項１、５、６、９、１３、１４記載の映像切替手段に対応し、操作部３ｆ及びマニュアル切替部３ｇの手動による映像の切り替え機能は、請求項６及び請求項１３記載の映像手動切替手段に対応する。
【００５３】
なお、上記実施の形態においては、映像表示装置３に、入力の判定、特定パターンの判定、映像切り替え機能を搭載しているが、これに限らず、同様の機能を搭載した専用の装置を、映像表示装置３と指示装置２との間に設置して、上記同様の処理を行うようにしても良い。
また、上記実施の形態においては、判定する特定パターンとして図３に示す第１〜第３のマーク３０ａ〜３０ｃを含む第１の画面３０及びエラーメッセージ３５ａを含む第２の画面３５を例として挙げているが、これに限らず、ＯＳ固有のロゴマークや、専用の判別マークなど、別のパターンの映像データを判定に用いるようにしても良い。
【００５４】
また、上記実施の形態においては、専用の映像として、「絵画」や「植物の写真」、「宣伝広告用の映像」を表示するようにしているが、これに限らず、映像表示システム１の使用目的に合わせて、どのような映像を表示するようにしても良い。
【００５５】
【発明の効果】
以上説明したように、本発明に係る請求項１記載の映像表示システムによれば、入力された映像が表示させたい映像であればそのまま表示するようにし、表示させたくない映像であれば専用の映像に切り替えて表示するようにしたので、見苦しい映像等表示させたくない映像がスクリーンなどの被表示部に表示されるのを防ぐのに役立つ。
【００５６】
また、請求項２記載の映像表示システムによれば、表示させたくない映像データが入力されたときに、被表示部に宣伝広告用の映像を表示するようになっているので、見苦しい映像の表示を防ぐ上に、製品の宣伝も可能となるので便利である。
【００５７】
また、請求項３記載の映像表示システムによれば、映像手動切替手段を用いることによって、システム利用者は、被表示部に表示する映像を、任意の別の映像に手動で切り替えて被表示部に表示することができ、また、特定の映像データが入力されたときに専用の映像に自動で切り替えられるのを防ぐこともできるのでシステムの使い勝手が向上する。
【００５８】
また、請求項４記載の映像表示システムによれば、入力判定手段によって指示内容が入力されているか否かを判定することが可能となり、指示内容がないときに、被表示部に専用の映像を表示するようになっているので、入力が無いときに宣伝広告用の映像を表示するなど、システムの有効的な利用が可能となる。
なお、請求項６乃至請求項９記載の映像表示装置は、請求項１乃至請求項４記載の映像表示システムにおいて利用されるものであり、その効果は同様となるので効果の記載を省略する。
【図面の簡単な説明】
【図１】本発明に係る映像表示システムの構成を示すブロック図である。
【図２】映像表示システム１の映像の自動切換設定時の動作の流れを示すフローチャートである。
【図３】図３（ａ）及び図３（ｂ）は、特定パターン判定部において、入力された映像データと比較する際に用いられる特定パターンの映像データの一例を示す図である。
【図４】映像切り替え処理の別の一例を適用した映像表示システムの動作処理を示すフローチャートである。
【図５】専用のソフトウェアの実行画面の一例を示す図である。
【符号の説明】
１                映像表示システム
２                指示装置
３                映像表示装置
４                被表示部
３０              第１の画面
３５              第２の画面
５０              実行画面
【図１】
0003700633.tif 000002
【図２】
0003700633.tif 000003
【図３】
0003700633.tif 000004
【図４】
0003700633.tif 000005
【図５】
0003700633.tif 000006